(57)【要約】【課題】ＩＰ網からの着信に応答するか否かを選択できる通信端末装置、及び、複数の着信があった場合に、適切な処理を実行して、ユーザの利便性の向上を図る通信端末装置を提供すること。【解決手段】ＩＰ電話によりデータの受信を行うＩＰ電話受信手段と、ＩＰ電話の着信を受信したとき、その着信が音声通信に係る着信であるか、音声通信以外のデータ通信に係る着信であるかにかかわらず着信があることを報知する報知手段と、前記着信に応答するための着信応答手段と、該手段により前記着信に応答したとき、前記音声通信又は前記データ通信を開始する手段と、を備える通信端末装置１【選択図】      図３
2004229166.tif 000002
【特許請求の範囲】
【請求項１】
ＩＰ電話によりデータの受信を行うＩＰ電話受信手段と、ＩＰ電話の着信を受信したとき、その着信が音声通信に係る着信であるか、音声通信以外のデータ通信に係る着信であるかにかかわらず着信があることを報知する報知手段と、前記着信に応答するための着信応答手段と、該手段により前記着信に応答したとき、前記音声通信又は前記データ通信を開始する手段と、を備えることを特徴とする通信端末装置。
【請求項２】
ＩＰ電話によりデータの受信を行うＩＰ電話受信手段と、複数の相手からのＩＰ電話の着信を受信する受信手段と、呼制御プロトコルによって確立されたコネクション上で、相手から受信した利用する通信手順の通知に基づいて、着信が音声通信に係るものであるか、音声通信以外のデータ通信に係るものであるかを判断する判断手段と、該判断手段に基づいて、一度に複数の相手からの音声通信に係る着信があったと判断した場合に、何れか１の着信に応答し、その他の着信の発信元に接続を拒否することを示す信号を送信する手段と、を備えることを特徴とする通信端末装置。
【請求項３】
ＩＰ電話によりデータの受信を行うＩＰ電話受信手段と、複数の相手からのＩＰ電話の着信を受信する受信手段と、呼制御プロトコルによって確立されたコネクション上で、相手から受信した利用する通信手順の通知に基づいて、着信が音声通信に係るものであるか、音声通信以外のデータ通信に係るものであるかを判断する判断手段と、該判断手段に基づいて、一度に複数の相手からのデータ通信に係る着信があったと判断した場合に、各着信ごとに応答してデータ通信を実行する手段と、を備えることを特徴とする通信端末装置。
【発明の詳細な説明】
【０００１】
【発明の属する技術分野】
本発明は、ＩＰ（インターネットプロトコル）網をデータの伝送路として用い、音声データ、画像データ、テキストデータなど各種データの伝送を行う、通信端末装置に関する。
【０００２】
【従来の技術】
近年、ＩＰ網を利用して電話を行うＩＰ電話通信や、同じくＩＰ網を利用してファクシミリを行うＩＰファクシミリ通信が普及しつつあり、これら複数の通信機能が１つの装置に統合された、いわゆる複合機も開発されている。例えば、特許文献１に開示されているように、ＩＰ電話通信機能とＩＴＵ−Ｔ勧告Ｔ．３８に準拠したＩＰファクシミリ通信機能を具備し、ＩＰ電話通信とＩＰファクシミリ通信による送信及び受信を同時に行うことができる通信端末装置がある。
【０００３】
ＩＰ電話通信やＩＰファクシミリ通信を行うとき、相手の呼び出しや通話の管理など、一般公衆網の交換機が行う処理に相当する制御は、呼制御プロトコルによって行われる。呼制御プロトコルにはＨ．３２３とＳＩＰ（Ｓｅｓｓｉｏｎ  Ｉｎｉｔｉａｔｉｏｎ  Ｐｒｏｔｏｃｏｌ；ＲＦＣ２５４３）が多く利用されている。特にＳＩＰは、セッションの確立、変更、終了を行うだけで、セッションの内容には関知しないため、上記したＩＰ電話通信やＩＰファクシミリ通信に限らず、ＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）など種々の通信手順を、発信側と着信側の間で確立したコネクション上において実行することが可能である。したがって、ＳＩＰによれば、送信元の通信端末装置は、送信相手装置とリアルタイムに直接データのやり取りを行うことができるという利点がある。
【０００４】
【特許文献１】
特開２００２−１０１２５６号公報（第３−５頁、第２図）
【０００５】
【発明が解決しようとする課題】
ところが、かかる通信端末装置は、ＩＰ網から呼制御プロトコルによる着信があった場合に、直ちに受信処理を開始するため、オペレータはＩＰ網からの着信に対する応答を行うか否かを選択することができなかった。
【０００６】
また、上記した特許文献１に開示されている通信装置のように、受信パケットを分割して同時に複数の相手からの着信を受信し、各々通信コネクションを確立する技術があるにもかかわらず、そのような技術を利用してより便利な機能を実現した通信端末装置は未だ市場に提供されていない。
【０００７】
【発明が解決しようとする課題】
本発明は、かかる課題に鑑みてなされたものであり、ＩＰ網からの着信に応答するか否かを選択できる通信端末装置、及び、複数の着信があった場合に、適切な処理を実行して、ユーザの利便性の向上を図る通信端末装置を提供することを目的とする。
【０００８】
【課題を解決するための手段】
上記目的を達成するために、請求項１記載の通信端末装置は、ＩＰ電話によりデータの受信を行うＩＰ電話受信手段と、ＩＰ電話の着信を受信したとき、その着信が音声通信に係る着信であるか、音声通信以外のデータ通信に係る着信であるかにかかわらず着信があることを報知する報知手段と、前記着信に応答するための着信応答手段と、該手段により前記着信に応答したとき、前記音声通信又は前記データ通信を開始する手段と、を備えることを特徴としている。
【０００９】
請求項２記載の通信端末装置は、ＩＰ電話によりデータの受信を行うＩＰ電話受信手段と、複数の相手からのＩＰ電話の着信を受信する受信手段と、呼制御プロトコルによって確立されたコネクション上で、相手から受信した利用する通信手順の通知に基づいて、着信が音声通信に係るものであるか、音声通信以外のデータ通信に係るものであるかを判断する判断手段と、該判断手段に基づいて、一度に複数の相手からの音声通信に係る着信があったと判断した場合に、何れか１の着信に応答し、その他の着信の発信元に接続を拒否することを示す信号を送信する手段と、を備えることを特徴としている。
【００１０】
請求項３記載の通信端末装置は、ＩＰ電話によりデータの受信を行うＩＰ電話受信手段と、複数の相手からのＩＰ電話の着信を受信する受信手段と、呼制御プロトコルによって確立されたコネクション上で、相手から受信した利用する通信手順の通知に基づいて、着信が音声通信に係るものであるか、音声通信以外のデータ通信に係るものであるかを判断する判断手段と、該判断手段に基づいて、一度に複数の相手からのデータ通信に係る着信があったと判断した場合に、各着信ごとに応答してデータ通信を実行する手段と、を備えることを特徴としている。
【００１１】
【発明の実施の形態】
以下、本発明の第１の実施の形態に係る通信端末装置について図面に基づき説明する。図１に通信端末装置１の一例として、呼制御プロトコルによりＩＰ網を利用した音声通信及び音声以外のデータ通信（以下、音声通信以外のデータ通信を単に「データ通信」という。）を行う機能を備えたファクシミリ装置１の構成例を示す。すなわち、ファクシミリ装置１は、ＣＰＵ（中央処理装置）２、ＲＡＭ（ランダムアクセスメモリー）３、ＲＯＭ（リードオンリーメモリー）４、コーデック５、読取部６、記録部７、操作部８、ハンドセットＰ、スピーカ９及びＬＡＮインターフェース１０を備えたものであって、各部２乃至１０は通信可能にバス１１によって接続されている。
【００１２】
ＣＰＵ２は、所定のプログラムに従って、このファクシミリ装置１を構成する各部を制御する。ＲＡＭ３は、画像データ、各種設定情報、後述する設定情報Ｘ等を記憶する記憶部として、また、一時的に蓄積される諸データの記憶部として機能する。ＲＯＭ４は、ＣＰＵ２によりこのファクシミリ装置１の各部の動作が制御されるための各種プログラムを記憶している。
【００１３】
設定情報Ｘは、ファクシミリ装置１がＩＰ網からの着信を受信した場合に、常にオペレータを呼び出すための報知を行う「常時報知」設定と、音声通信に係る着信があった場合にのみ報知を行う「音声通信報知」設定の何れか一方が登録されるようになっている。そして、これらの設定は、操作部８からのオペレータの所定操作によって登録されるようになっている。
【００１４】
コーデック５は、使用する通信手順に応じた形式にて符号化復号する。例えば、ＳＭＴＰにより送受信する電子メールに添付される画像フォーマットであるＴＩＦＦ（Ｔａｇｇｅｄ  Ｉｍａｇｅ  Ｆｉｌｅ  Ｆｏｒｍａｔ）形式に対応して画データを符号化、復号する。
【００１５】
読取部６は、原稿の画像データを読み取って、白黒２値化した画像データ生成する。記録部７は、例えば電子写真方式のものからなり、受信した画像データ等を記録紙上に記録する。
【００１６】
操作部８は、このファクシミリ装置１の状態に関する情報、各種画面等を表示するディスプレイ８ａ、ＩＰ電話番号（イントラネットや電話会社の電話番号体系等により取り決められたＩＰ網用の電話番号；例えば「０５０−」で始まる電話番号など）、メールアドレス等の各種情報を入力する操作キー８ｂ等からなり、オペレータによる各種操作はこの操作部８から行われる。
【００１７】
ＬＡＮインターフェース１０は、ＬＡＮ（ローカル・エリア・ネットワーク）１２とのインターフェースであり、ファクシミリ装置１をＬＡＮ１２に通信可能に接続する。ＬＡＮ１２には、ルータ１３が設けられており、ファクシミリ装置１は、ルータ１３を通じてＩＰ網１４における相手装置１５と後述する呼制御プロトコルを利用して直接リアルタイムにデータ通信を行うことができるようになっている。
【００１８】
上記に説明した構成を備えるファクシミリ装置１は、ＵＤＰ／ＩＰ（ＵｓｅｒＤａｔａｇｒａｍ  Ｐｒｏｔｏｃｏｌ／Ｉｎｔｅｒｎｅｔ  Ｐｒｏｔｃｏｌ）、及びＳＩＰを実装している。そして、ＩＰ電話番号により指定した相手装置１５とＳＩＰによるコネクション（以下「ＳＩＰコネクション」という。）を確立した上で、各種通信手順、具体的にはＶｏＩＰ（Ｖｏｉｃｅ  ｏｖｅｒ  ＩＰ）、ＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）等の通信手順を、相手装置との間で直接実行することにより音声通信や画像データ、テキストデータ等のデータ通信を行う機能を備えている。
【００１９】
ファクシミリ装置１は、図２のシーケンス図に示すように、受信側端末装置Ｒとして、同じくＵＤＰ／ＩＰ、ＳＩＰ、ＶｏＩＰ、ＳＭＴＰ、ＨＴＴＰ等を実装した相手と、呼制御セッションを形成して、ＳＩＰコネクションを確立し、確立したＳＩＰコネクション上で例えば図示するようなメディアセッションを形成した後、通信を切断するための呼制御セッションを形成する。
【００２０】
すなわち、送信側端末装置Ｔは、ＳＩＰサーバ１７に対しＩＰ電話番号を指定した「ＩＮＶＩＴＥ」により相手先の呼出を要求する。これを受けたＳＩＰサーバ１７は、送信側端末装置Ｔから指定されたＩＰ電話番号のＩＰアドレスを、ＩＰ電話番号とＩＰアドレスの対応付け情報を持つロケーションサーバ（不図示）に問い合わせて、ＩＰアドレスを取得し、該ＩＰアドレスから特定される受信側端末装置Ｒに対して、同じく「ＩＮＶＩＴＥ」を送出することにより呼び出しを行う（Ｔ１）。この時ＳＩＰサーバ１７から送信側端末装置Ｔに対しては、受信側端末装置Ｒが呼出中であることを示す信号「ＲＩＮＧＩＮＧ」が送出される（Ｒ１）。
【００２１】
ＳＩＰサーバ１７が呼び出した受信側端末装置Ｒが呼出に対して応答すると、受信側端末装置Ｒは、ＳＩＰサーバ１７に対して成功応答コード「２００」を送出し（Ｒ２）、これを受けたＳＩＰサーバ１７は、送信側端末装置Ｔに対して同じく成功応答コード「２００」を送出する。送信側端末装置Ｔは、次いで、前記成功応答コードを受け取ったことを示す「ＡＣＫ」をＳＩＰサーバ１７へ送出し、これを受けたＳＩＰサーバ１７は、受信側端末装置Ｒに同じく「ＡＣＫ」を送出して（Ｔ２）、送信側端末装置Ｔと受信側端末装置Ｒとの間に、ＳＩＰコネクションを確立し、種々の通信手順の実行を可能とする通信状態を形成する。なお、上記のようにＳＩＰコネクションが確立されるまで形成される呼制御セッションを以下において「開始呼制御セッション」という。
【００２２】
送信側端末装置Ｔは、確立されたＳＩＰコネクション上で、受信側端末装置Ｒとの間で通信手順を実行する前に、相手が対処可能な通信手順の提示を要求する所定コマンドを受信側端末装置Ｒに送信し（Ｔ３）、受信側端末装置Ｒはこれに応答して自装置Ｒの対処可能な通信手順についての情報を送信側端末装置Ｔに対して提示するようになっている（Ｒ３）。また、送信側端末装置Ｔは、通信手順を実行する前に利用する通信手順を予め受信側端末装置Ｒに対して通知するようになっており（Ｔ４）、その通知を受けた受信側端末装置Ｒの受信準備を促した後、受信側端末装置Ｒとの間で通知した通信手順を実行し、音声通信又はデータ通信を相互間で行う（Ｔ５）。
【００２３】
送信側端末装置Ｔは、上記音声通信又はデータ通信を終了した後（Ｔ６）、ＳＩＰコネクションの切断を要求する「ＢＹＥ」をＳＩＰサーバ１７へ送出し、これを受けたＳＩＰサーバ１７から受信側端末装置Ｒは「ＢＹＥ」を受信する（Ｔ７）。そして、受信側端末装置Ｒが、成功応答コード「２００」をＳＩＰサーバ１７に対し送出し（Ｒ４）、ＳＩＰサーバ１７が同じく送信側端末装置Ｔに対しても成功応答コード「２００」を送出し、一連のセッションを終了する（通信を切断する）。なお、メディアセッションを終了した後、通信が切断されるまで形成される上記呼制御セッションを以下に、「終了呼制御セッション」という。
【００２４】
つぎに、上記に説明した構成及び通信機能を備えるファクシミリ装置１が、受信側端末装置Ｒとして、ＩＰ網から呼制御プロトコルによる着信があった場合に実行する処理動作について図３及び４に示すフローチャートに基づいて説明する。なお、このフローチャートに基づいて説明するファクシミリ装置１の動作は、ＲＯＭ４に記憶された制御プログラムに基づいてＣＰＵ２が発行する命令に従って行われる。
【００２５】
ファクシミリ装置１において、ＩＰ電話による着信、すなわち、ＳＩＰサーバ１７からの「ＩＮＶＩＴＥ」を受信すると、前述した開始呼制御セッションを形成して、発信元である送信側端末装置ＴとＳＩＰコネクションを確立する（Ｓ１）。
【００２６】
次いで、確立されたＳＩＰコネクション上で、送信側端末装置Ｔから自装置１が対処可能な通信手順の提示要求を受信し（Ｓ２、Ｔ３）、自装置１の対処可能な通信手順情報を提示して（Ｓ３、Ｒ３）、送信側端末装置Ｔから利用する通信手順の通知を受信する（Ｓ４、Ｔ４）。
【００２７】
次いで、ファクシミリ装置１は、設定情報Ｘに基づき着信を自動処理するか否かを判断し、自動処理する場合（設定情報Ｘが「音声通信報知」である場合）には（Ｓ５：自動）、前記Ｓ４で受信した通信手順の通知内容に基づいて着信が音声通信に係るものであるかデータ通信に係るものであるかを判断する（Ｓ６）。着信が音声通信に係るものであると判断したときは（Ｓ６：音声）、オペレータに音声通信に係る着信があることを報知手段により報知する（Ｓ７）。具体的には、所定のベル音（第１ベル音）を報知手段であるスピーカ９によって鳴動させるとともに、同じく報知手段であるディスプレイ８ａに音声通信に係る着信がある旨のダイヤログ、例えば「音声通信を着信しています。」等、を表示させる。そして、オペレータによる着信応答操作として、着信応答手段であるハンドセット（受話器）Ｐがオフフックされると（Ｓ８：ＹＥＳ）、その旨を示す通信接続受付信号を送信側端末装置Ｔへ返信する（Ｓ９）。該通信接続受付信号を受信した相手先はファクシミリ装置１がオフフックしたと判断し、相互に通話できる状態を確立する（Ｓ１０、Ｔ５）。
【００２８】
オペレータが相手との通話を終了し、ハンドセットＰがオンフックされると（Ｓ１１：ＹＥＳ）、ＳＩＰコネクションの切断を要求する「ＢＹＥ」が送信側端末装置ＴからＳＩＰサーバ１７へ送出され、ＳＩＰコネクションが切断される（Ｓ１２）。
【００２９】
一方、前記Ｓ６において、着信がデータ通信に係るものであると判断ときは（Ｓ６：データ通信）、着信の報知を行わずに、接続受付信号（オフフック信号）を送信側端末装置Ｔへ返信し（Ｓ１３）、同装置Ｔとデータ通信を行う（Ｓ１４、Ｔ５）。そして、データ通信の終了後、ＳＩＰコネクションの切断を要求する「ＢＹＥ」が送信側端末装置ＴからＳＩＰサーバ１７へ送出され、ＳＩＰコネクションが切断される（Ｓ１２）。
【００３０】
つぎに、前記Ｓ５において着信処理設定がオペレータを呼び出す設定になっている場合（Ｓ５：オペレータ呼出）について説明する。この場合は、前記Ｓ４で受信した通信手順の通知内容に基づいて着信が音声通信に係るものであるかデータ通信に係るものであるかを判断する。そして、着信が音声通信に係るものであるときは（Ｓ５１：音声通信）、オペレータに音声通信に係る着信があることを報知し（Ｓ５２）、着信がデータ通信に係るものであるときは（Ｓ５１：データ通信）、オペレータにデータ通信に係る着信があることを報知する（Ｓ５３）。具体的には、着信が音声通信に係るものである場合は、第１ベル音をスピーカ９によって鳴動させるとともに、ディスプレイ８ａに音声通信に係る着信がある旨のダイヤログ、例えば「音声通信を着信しています。」等、を表示させる。一方、着信がデータ通信に係るものである場合は、第１ベル音とは異なる第２ベル音をスピーカ９によって鳴動させるとともに、ディスプレイ８ａにデータ通信に係る着信がある旨のダイヤログ、例えば「データ通信を着信しています。」等、を表示させる。
【００３１】
次いで、オペレータによって、着信が音声通信に係るものである場合は、着信応答手段であるハンドセットＰのオフフックがなされることにより、又、着信がデータ通信に係るものである場合は、同じく着信応答手段である操作部８におけるデータ受信を開始するための所定操作がなされることにより（Ｓ５４：ＹＥＳ）、接続受付信号を送信側端末装置に返信する（Ｓ５５）。一方、操作部８における所定操作により接続を拒否する操作がなされると（Ｓ５４：ＮＯ）、当該着信の発信元に対し接続を拒否するための接続拒否信号を送信する（Ｓ５６）。そして、着信が音声通信に係るものである場合は、前記Ｓ１０以降の処理動作、つまり、通話できる状態の確立等を行い、着信がデータ通信に係るものである場合は、前記Ｓ１４以降の処理動作、つまり、データ通信等を実行する（Ｓ５７）。
【００３２】
以上の説明から明らかなように、第１の実施の形態に係るファクシミリ装置１によれば、音声通信を着信した場合にのみオペレータを呼び出し、データ通信を着信した場合に自動受信するようにすることができるので、オペレータは応対に不可欠な音声通信の着信があった場合にのみハンドセット（受話器）をとって応対すればよく、着信応対操作の簡略化が図られる。また、設定により全ての着信に対しオペレータを呼び出すことも可能であり、かかる設定がなされている場合には、オペレータに対して、着信が音声通信に係るものであるか、データ通信に係るものであるかが判るように報知されるので、オペレータは、通信の種類を確認してから受信するか否かを選択することができる。さらに、全ての着信についてオペレータを呼び出し、オペレータによる着信応答操作があった場合にのみ着信に応答するので、音声通信であるか、データ通信であるかにかかわらず、オペレータは、着信に応答するか否かを選ぶことができる。
【００３３】
以下、本発明の第２の実施の形態に係る通信端末装置１Ａの一例として、ファクシミリ装置１Ａについて説明する。このファクシミリ装置１Ａは、ＬＡＮインターフェース１０を通じて受信したパケットを発信元毎に分別して着信する機能を有し、同時に複数の相手から着信した場合に、各々の着信に応答して通信処理を同時に行う機能を有する点において第１の実施の形態に係るファクシミリ装置１と相違する。
【００３４】
以下、図５のフローチャートに基づいて、ファクシミリ装置１Ａにおいて着信があった場合に実行される処理動作について説明する。なお、このフローチャートに基づいて説明するファクシミリ装置１Ａの動作は、ＲＯＭ４に記憶された制御プログラムに基づいてＣＰＵ２が発行する命令に従って行われる。
【００３５】
ファクシミリ装置１ＡにおいてＩＰ電話の着信があった場合、第１の実施の形態で説明した、前記Ｓ１乃至Ｓ４の着信処理を着信毎に実行するとともに、単一の着信があるか、データ通信に係る複数の着信があるか、音声通信に係る複数の着信があるかについて、３つの判別を順に繰返し行い、何れかに該当する場合に後述する所定の処理動作を実行する。ここで、音声通信に係る複数の着信があるか、データ通信に係る複数の着信があるか、については、前記Ｓ４において受信する、利用する通信手順の内容（着信は音声通信に係るものか、データ通信に係るものか）に基づいて行われる。
【００３６】
単一の着信がある場合には（Ｓ１０１：ＹＥＳ）、その着信に応答して音声通信又はデータ通信を実行する（Ｓ１０２）。ここで、音声通信又はデータ通信としては、前記したＳ６乃至Ｓ１４の処理動作が実行される。
【００３７】
一方、データ通信に係る複数の着信がある場合は（Ｓ１０３：ＹＥＳ）、各着信ごとに応答してデータ通信を実行する（Ｓ１０４）。つまり、着信の報知を行わずに、各着信ごとに、前記したＳ１３、Ｓ１４、Ｓ１２の処理動作として、接続受付信号の返信、データ通信、ＳＩＰコネクション切断の処理を順に実行する。
【００３８】
また一方、音声通信に係る複数の着信がある場合は（Ｓ１０５：ＹＥＳ）、オペレータに音声通信に係る着信が複数ある旨を報知する。具体的には、前記した第１ベル音及び第２ベル音の双方と異なる第３ベル音をスピーカ９によって鳴動させるとともに、ディスプレイ８ａに音声通信に係る着信が複数ある旨のダイヤログ、例えば「複数の音声通信を着信しています。」等、を表示させる。
【００３９】
そして、オペレータによる相手先との着信応答操作として、着信応答手段であるハンドセットＰがオフフックされると何れか１の着信に応答して（Ｓ１０７）、着信応答を示す接続受付信号を応答した送信側端末装置Ｔへ返信するとともに、その他の着信の発信元へ接続を拒否することを示す接続拒否信号を送信する（Ｓ１０８）。そして、応答した相手先に対してのみ通話できる状態を確立する（Ｓ１０９）。なお、前記Ｓ１０７において、応答する着信は、何れでも良いが、例えば、各着信ごとに、着信時からの経過時間をカウントし、経過時間に基づいて着信順序を判定する着信順序判別部を形成し、これにより最も早い着信に対して応答するようにしてもよい。また、前記接続拒否信号は、音声通信を開始せずに、ＳＩＰコネクション上で送信されるものであるが、音声通信を開始して、音声により「只今電話中です。お掛け直し下さい。」など、電話中であることを伝えるメッセージを前記接続拒否信号として送出してもよい。これにより、応答されなかった相手は、接続を拒否された理由を知ることができる。
【００４０】
次いで、オペレータが相手との通話を終了し、ハンドセットＰがオンフックされ（Ｓ１１０）、ＳＩＰコネクションの切断を要求する「ＢＹＥ」が送信側端末装置ＴからＳＩＰサーバ１７へ送出されると、ＳＩＰコネクションが切断される（Ｓ１１２）。
【００４１】
以上の説明から明らかなように、第２の実施の形態に係るファクシミリ装置１Ａによれば、データ通信に係る複数の着信があった場合に、自動的に各着信ごとに画像データ、テキストデータ等のデータ受信処理を実行し、音声通信に係る複数の着信が合った場合に、何れか１の着信に応答し、応答しなかったその他の着信の発信元に対して接続拒否信号を送信する。このため、本装置１Ａが接続できない状態にあることを着信応答されなかった発信元は早期に判断することができる。
【００４２】
【発明の効果】
請求項１記載の通信端末装置によれば、全ての着信についてオペレータを呼び出し、オペレータによる着信応答操作があった場合にのみ着信に応答するので、音声通信であるか、データ通信であるかにかかわらず、オペレータは、着信に応答するか否かを選ぶことができる。
【００４３】
請求項２記載の通信端末装置によれば、音声通信に係る複数の着信が合った場合に、何れか１の着信に応答し、応答しなかったその他の着信の発信元に対して接続拒否信号を送信する。このため、本装置が接続できない状態にあることを着信応答されなかった発信元は早期に判断することができる。
【００４４】
請求項３記載の通信端末装置によれば、着信が音声通信に係るものか音声通信以外のデータ通信に係るものかを判断するので、データ通信に係る複数の着信があった場合に、着信の報知を行わずに自動的に各着信ごとにデータ受信処理を行うことができる。
【図面の簡単な説明】
【図１】本発明の実施の形態に係る通信端末装置の構成例を示した図である。
【図２】ＳＩＰ（呼制御プロトコル）により通信する場合に形成されるセッション例を示したシーケンス図である。
【図３】本発明の第１の実施の形態に係る通信端末装置において着信があった場合に実行される処理動作を示したフローチャートである。
【図４】本発明の第１の実施の形態に係る通信端末装置において着信があった場合に実行される処理動作を示したフローチャートである。
【図５】本発明の第２の実施の形態に係る通信端末装置において着信があった場合に実行される処理動作を示したフローチャートである。
【符号の説明】
Ｘ  設定情報
Ｐ  ハンドセット（着信応答手段）
１  ファクシミリ装置（通信端末装置）
２  ＣＰＵ
３  ＲＡＭ
４  ＲＯＭ
８  操作部（着信応答手段）
８ａ  ディスプレイ（報知手段）
９  スピーカ（報知手段）
【図１】
2004229166.tif 000003
【図２】
2004229166.tif 000004
【図３】
2004229166.tif 000005
【図４】
2004229166.tif 000006
【図５】
2004229166.tif 000007